(57)【特許請求の範囲】
【請求項１】
扉枠により形成された開口部を開閉する扉体と、扉枠に設けた扉開放アシスト装置と、を備えたドアシステムであって、
前記扉開放アシスト装置は、
開口部閉鎖状態にある扉体の開放時に扉体の戸先側を室外側に押し出して当該扉体の初動開放を行う押し出し部と、
前記押し出し部を作動させる作動機構と、
作動機構を制御する制御部と、
を備え、
前記扉体にはラッチ及びデットボルトが設けてあり、
前記扉枠にはラッチ用ストライク及びデットボルト用ストライクが設けてあり、
前記制御部は、デッドボルトが施錠状態から解錠されて解錠状態となったことを判定するする第１判定手段と、ラッチが係止状態から解除されて非係止状態となったことを判定する第２判定手段と、を備え、デッドボルトが解錠状態となり、かつ、ラッチが非係止状態となった時に前記作動機構により前記押し出し部を作動させて扉体の初動開放を行い、
前記作動機構は、通電状態で固定され、非通電状態で可動となる要素を備えており、
前記押し出し部は、当該要素が固定状態にある時に、前記作動機構によって収納姿勢から突出姿勢、突出姿勢から収納姿勢への作動が可能となっており、
当該要素が可動となった時には、前記扉体がドアクローザの閉鎖力で全閉状態となるように構成されており、
押し出し部が突出姿勢にある時に停電となった時には、前記要素が可動となって、扉体は自動的に全閉状態となる、
ドアシステム。
【発明の詳細な説明】
【技術分野】
【０００１】
本発明は、開口部閉鎖状態にある扉体の開放時に扉体の開放を補助する扉開放アシスト装置を備えたドアシステムに関するものである。
【背景技術】
【０００２】
近年、マンション及びビル等においては、気密性能・断熱性能の向上及び２４時間換気の実施などにより、室内外の気圧差が大きくなり、扉開放に過大な力が必要となるケースが増えてきている。時には、年配者や小さな子供では扉を開放することが困難なほどの力が扉体に加わる場合もある。
【０００３】
ここで、全閉姿勢にある扉体の開放方向への回動をアシストする扉開放アシスト装置を扉装置に設けることが考えられるが（特許文献１）、扉開放アシスト装置を設けた場合であっても、従来の扉開放操作の手順や構成等になるべく変更を加えないことが望ましい。
【０００４】
また、扉開放アシスト装置の典型的な電源としては商用電源が考えられるが、電動による扉開放中に停電となった場合であっても、消防法上あるいは防犯上の理由から扉体を自動的に閉鎖させることが要求される。停電対策として扉開放アシスト装置にバッテリーを搭載することも考えられるが、コストアップ、定期的なメンテナンスの必要性、扉開放アシスト装置の大型化による意匠性の低下などの問題がある。
【先行技術文献】
【特許文献】
【０００５】
【特許文献１】特開２００６−１０４８１４
【発明の開示】
【発明が解決しようとする課題】
【０００６】
本発明は、上記要望を満たした扉体開放アシスト装置を備えたドアシステムを提供することを目的とするものである。
【課題を解決するための手段】
【０００７】
本発明が採用した技術手段は、
扉枠により形成された開口部を開閉する扉体と、扉枠に設けた扉開放アシスト装置と、を備えたドアシステムであって、
前記扉開放アシスト装置は、
開口部閉鎖状態にある扉体の開放時に扉体の戸先側を室外側に押し出して当該扉体の初動開放を行う押し出し部と、
前記押し出し部を作動させる作動機構と、
作動機構を制御する制御部と、
を備え、
前記扉体にはラッチ及びデットボルトが設けてあり、
前記扉枠にはラッチ用ストライク及びデットボルト用ストライクが設けてあり、
前記制御部は、デッドボルトが施錠状態から解錠されて解錠状態となったことを判定するする第１判定手段と、ラッチが係止状態から解除されて非係止状態となったことを判定する第２判定手段と、を備え、デッドボルトが解錠状態となり、かつ、ラッチが非係止状態となった時に前記作動機構により前記押し出し部を作動させて扉体の初動開放を行う、ドアシステム、である。
【０００８】
1つの態様では、前記ドアシステムは、デッドボルトが施錠状態から解錠されて解錠状態となったことを検知する第１検知手段を備えており、前記第１判定手段は、第１検知手段によるデッドボルトの解錠の検知に基づいて、デッドボルトが施錠状態から解錠状態となったことを判定する。1つの態様では、前記第１検知手段は、ストライク動作検知スイッチである。
１つの態様では、前記ラッチは電動ラッチであり、デッドボルトが施錠状態から解錠されて解錠状態となったことが検知されると、電動ラッチの解除信号が出力される。前記第２判定手段は、電動ラッチの解除信号の出力に基づいて、ラッチが係止状態から解除されて非係止状態となったことを判定する。
1つの態様では、前記ドアシステムは、ラッチが係止状態から解除されて非係止状態となったことを検知する第２検知手段を備えており、前記第２判定手段は、第２検知手段によるラッチの非係止状態の検知に基づいて、ラッチが係止状態から解除されて非係止状態となったことを判定する。1つの態様では、前記ラッチは手動によって非係止状態となるものであり、前記第２検知手段は、ラッチ動作検知スイッチである。
【０００９】
１つの態様では、前記作動機構は、通電状態で固定され、非通電状態で可動となる要素を備えており、
前記押し出し部は、当該要素が固定状態にある時に、前記作動機構によって収納姿勢から突出姿勢、突出姿勢から収納姿勢への作動が可能となっており、
当該要素が可動となった時には、前記扉体がドアクローザの閉鎖力で全閉状態となるように構成されており、
押し出し部が突出姿勢にある時に停電となった時には、前記要素が可動となって、扉体は自動的に全閉状態となる。
【発明の効果】
【００１０】
本発明では、室内外の気圧等に起因する扉開放にかかる負荷に対し、扉開放アシスト装置が扉開放に必要な開放力をアシストして扉体を室外側へ押し出して、扉体の戸先側端面と戸先側縦枠との間に室内外を連通する隙間を形成して十分な空気の流れを提供することにより、扉体の開放をより小さい力で行なうことを可能とする。
本発明では、デッドボルトが解錠状態となり、かつ、ラッチが非係止状態となった時に作動機構により押し出し部を作動させて扉体の初動開放を行うので、通常の扉体の開放操作の流れの中で自然に扉開放アシスト装置を作動させることができ、使用者に煩わしさを与えることがない。
【００１１】
本発明では、扉開放アシスト装置の作動中に停電が発生した場合であっても、バッテリーを用いることなく、ドアクローザの力で扉体を閉鎖することができる。
【図面の簡単な説明】
【００１２】
【図１】扉開放アシスト装置を備えた扉装置の室内側正面図である。
【図２】扉開放アシスト装置を備えた扉装置の室外側正面図である。
【図３】ドアシステムを説明する概略図である。
【図４】扉開放アシスト装置の全閉状態から全開状態を経て全閉状態に戻るまでの遷移を示す図である。
【図５】上図は要部拡大平面図、下図は要部拡大正面図。
【図６】本発明に係る扉開放アシスト装置を備えた扉装置の戸先側の部分平面図であり、上図は開口部閉鎖時、下図は扉開放アシスト装置が作動して扉体が押し出された状態を示している。
【図７】扉開放アシスト装置が作動した後に停電が生じて第２ガイドブロックの移動規制が解除された状態を示す図である。
【図８】第２ガイドブロックの移動規制手段を説明する図である。
【発明を実施するための形態】
【００１３】
本発明の実施の形態を図面に基づいて説明する。図１は、扉装置と扉開放アシスト装置とを備えたドアシステムを室内側から見た正面図、図２は、同ドアシステムを室外側から見た正面図である。扉装置は、上枠１、下枠２、戸先側縦枠３、戸尻側縦枠４とから四周枠状に形成された扉枠と、当該扉枠により形成された開口部を開閉する正面視縦長方形状の扉体５と、からなる。扉体５は、室内側面部５０、室外側面部５１、戸先側端面５２、戸尻側端面５３を備えており、面部５０、５１には、戸先側に位置してハンドル５４が設けてある。扉体５は、戸尻側部位がヒンジ４０（図２ではピボットヒンジ）によって扉枠の戸尻側部位に回動可能に取り付けられており、開口部全閉状態では、幅方向の両端面５２、５３が左右の縦枠３、４間に納まった閉鎖姿勢となる。
【００１４】
扉体５には、戸先側端面５２から突出するラッチ５５が備わっており、扉枠の戸先側縦枠３には、突出するラッチ５５を受け入れる位置にラッチ用ストライク３０が形成されている。開口部閉鎖状態において、戸先側端面５２から突出したラッチ５５が戸先側縦枠３側のラッチ用ストライク３０に係止することで扉体５の開放が規制される。本明細書において、ラッチ５５がラッチ用ストライク３０に係止して扉体５の開放を規制する状態をラッチの係止状態といい、ラッチの係止状態が解除されて非係止状態となることで、扉体５の開放が可能となる。また、開放姿勢にある扉体５が閉鎖する時には、戸先側端面５２から突出するラッチ５５は扉体５の閉鎖方向への移動を許容し、扉体５が全閉姿勢となった後は、ラッチ用ストライク３０に係止した係止状態となる。
【００１５】
ラッチの非係止状態の態様としては、ラッチ用ストライク３０内にあるラッチ５５が扉体５の開放方向の移動を許容できる方向に可動状態となることが挙げられる。すなわち、扉体５が開放方向に回動した時に、扉体５がラッチ用ストライク３０に当接しても、扉体５の開放移動を許容するようにラッチ５５が移動して退避可能な状態である。例えば、ラッチ５５をいわゆる電動ラッチから構成することで、電動ラッチに解除信号が供給されることで、ラッチ５５が可倒状態となる。
【００１６】
ラッチの非係止状態の態様としては、また、ラッチ５５がラッチ用ストライク３０から脱して戸先側端面５２側に退避した状態が挙げられる。典型的には、ハンドル５４の操作によって、突出したラッチ５５を戸先側端面５２内に没入させると、ラッチが非係止状態となって、扉体５の開放規制が解除され、扉体５の回動が可能となる。
【００１７】
扉体５には、ラッチの上下に位置してデットボルト５６が扉体の戸先側端面５２から出没可能に設けてある。デットボルト５６の出没は、室内側からのつまみ５６Ａの回動操作、あるいは、室外側からの鍵孔５６Ｂにキーを差し込んでの回動操作に連動して行われる。扉枠の戸先側縦枠３にはラッチ用ストライク３０の上下に位置して、ストライク３１、３２が形成されている。開口部閉鎖状態において、戸先側端面５２から突出したデットボルト５６が戸先側縦枠３側のストライク３１、３２に係止することで扉体５の開放が規制された施錠状態となる。例えば、室内側からのつまみ５６Ａの回動操作によって、突出したデットボルト５６を戸先側端面５２内に没入させることで、デッドボルトの施錠状態が解錠されて解錠状態となる。
【００１８】
扉装置の扉枠の上枠１と扉体５の上端部との間には、戸尻側に位置してドアクローザ６が設けてあり、開放姿勢にある扉体５は、ドアクローザ６によって自動的に閉鎖姿勢へと回動する。ドアクローザ６としては、開放した扉体５を自動的に閉鎖姿勢へ復帰させるものであれば、いかなる構成の装置であってもよい。ドアクローザ６の構成は当業者に周知なので詳細な説明は省略する。
【００１９】
扉装置の上方部位には、ドアクローザ６の戸先側に位置して扉開放アシスト装置が設けてある。扉開放アシスト装置は、扉体５を閉鎖姿勢から室外側へ押し出すための押し出し部７と、押し出し部７を突出させる作動機構８と、押し出し部７及び作動機構８を収容すると共に押し出し部７の突出を可能とする開口を備えたケーシング８Ａと、を備えており、扉枠（上枠１）に設けられる。扉開放アシスト装置は、さらに、作動機構８を制御する制御部を備えている。扉開放アシスト装置の制御部からの出力としては、電動ラッチを係止状態から非係止状態へ解錠するための出力、作動機構８のアクチュエータ（モータ）を駆動するための出力、停電対策用ソレノイドを通電状態とするための出力、がある。ラッチが電動ラッチでなく、ラッチ動作検知スイッチを設ける態様では、電動ラッチへの出力は不要である。
【００２０】
後述するように、作動機構８は、さらに、通電状態で固定され、非通電状態で可動となる要素（第２ガイドブロック８４）を備えており、押し出し部７は、当該要素（第２ガイドブロック８４）が固定状態にある時に、作動機構８によって収納姿勢から突出姿勢、突出姿勢から収納姿勢への作動が可能となっている。より具体的な態様例では、作動機構８は要素（第２ガイドブロック８４）の移動規制状態を保持する保持ソレノイドを有しており、扉開放アシスト装置の動作中、すなわち、押し出し部７への開放出力〜閉鎖出力中は保持用ソレノイドがＯＮの状態となる。要素（第２ガイドブロック８４）が可動となった時には、突出姿勢にある押し出し部７がドアクローザ６の閉鎖力で収納姿勢へ復帰するように構成されており、したがって、押し出し部７が突出姿勢にある時に停電となった時（非通電状態）には、要素（第２ガイドブロック８４）が可動となって、扉体５はドアクローザ６によって自動的に閉鎖方向に回動して全閉状態となる。
【００２１】
扉開放アシスト装置の制御部は、デッドボルト５６が施錠状態から解錠されて解錠状態となったことを判定するする第１判定手段を備えている。ドアシステムは、デッドボルト５６が施錠状態から解錠されて解錠状態となったことを検知する手段を備えており、前記第１判定手段は、当該検知手段によるデッドボルトの解錠の検知に基づいて、デッドボルトが施錠状態から解錠状態となったことを判定する。ストライク３１、３２は、デッドボルトの動作を検知して施解錠信号として出力するストライク動作検知スイッチを備えたスイッチストライクである。ストライク動作検知スイッチは、デッドボルト５６がストライク３１、３２に突出して係止した施錠状態をＯＦＦ、デッドボルト５６がストライク３１、３２から脱した解錠状態をＯＮとする。このように、ストライク動作検知スイッチは、デッドボルト５６が施錠状態から解錠されて解錠状態となったことを検知する。
【００２２】
扉開放アシスト装置の制御部は、さらに、ラッチ５５が係止状態から解除されて非係止状態となったことを判定する第２判定手段を備えている。ラッチ５５が電動ラッチの場合には、前記第２判定手段は、ラッチ５５に解除信号が出力されて通電状態となった時の出力信号に基づいてラッチが非係止状態であると判定することができる。電動ラッチには、扉体５内部に配置したアウターチューブ５５０内を延びる配線５５１の一端が電気的に接続されており、配線５５１の他端側は、ピボットヒンジ４０から構成される通電ピボットを介して制御部に電気的に接続されている。また、ドアシステムが、ラッチが係止状態から解除されて非係止状態となったことを検知する手段を備えている場合には、前記第２判定手段は、当該検知手段によるラッチの非係止状態の検知に基づいて、ラッチが係止状態から解除されて非係止状態となったことを判定する。例えば、ラッチ５５が機械的に係止状態となるラッチである場合には、ラッチの動きを検出するラッチ動作検知スイッチを設け、ラッチ動作検知スイッチによってラッチが非係止状態となったことを検知する。非係止状態の検知信号は、アウターチューブ５５０、配線５５１と類似の構成によって制御部に送信することができる。
【００２３】
例えば、室内にいる人が、開口部閉鎖状態から開口部を開放する時には、室内側からのつまみ５６Ａの回動操作によって、突出したデットボルト５６を戸先側端面５２内に没入させて扉体５の施錠状態を解錠して解錠状態とする。この時、ストライク動作検知スイッチがＯＮとなって、デットボルト５６が施錠状態から解錠されて解錠状態となったことが検知される。ストライク動作検知スイッチがＯＮとなると、検知信号が配線３１０、３２０を通して制御部に送信される。制御部では、配線３１０、３２０の両方から検知信号を受信することで、デットボルト５６が解錠状態となったと判断し、保持ソレノイドが通電状態とって、作動機構による押し出し部の押し出しが可能な状態となる。また、電動ラッチに解除信号が送信されて、電動ラッチが通電状態となって電動ラッチが非係止状態となる。制御部は、電動ラッチへ解除信号が出力されたことに基づいて、電動ラッチが非係止状態であると判断する。
【００２４】
制御部は、デッドボルト５６が解錠状態となり、かつ、ラッチ５５が非係止状態となったと判断すると、作動機構８のモータ８１に作動信号を送信することで、所定時間（例えば３秒間）開放出力を行って押し出し部７を突出させて扉体の初動開放を行う。1つの態様では、発生するアシスト力は１６０Ｎで、負圧を十分に開放するべく隙間が３０ｍｍ程度開くように、ドアを８０ｍｍ開放する。
【００２５】
1つの態様では、扉開放アシスト装置は、押し出し部７が収納姿勢（全閉状態）にある状態を検知する全閉スイッチと、押し出し部７が最も突出した姿勢にある状態（全開状態）を検知する全開スイッチと、を備えている。全閉状態から開放動作する扉開放アシスト装置が全開状態となると全開スイッチが作動して、モータ８１による駆動を停止する。全開状態から閉鎖動作する扉開放アシスト装置が全閉状態となると全閉スイッチが作動して、モータ８１による駆動を停止する。全閉スイッチ、全開スイッチは、作動機構８の構成要素の位置を検出するセンサやモータ８１の回転数を検出するセンサを用いて構成することができる。例えば、後述する実施形態では、第１ガイドブロック８３の位置を検出することで全閉状態、全開状態を検出することができる。
【００２６】
1つの態様では、扉開放アシスト装置は、扉開検知スイッチを備えている。扉開検知スイッチは、扉開放アシスト装置によって扉体５が開放されていることを検知するスイッチであり、例えば、押し出し部７に設けたマイクロスイッチから構成することができる。扉開検知スイッチは、押し出し部７が扉体５を押圧している状態ではＯＮであり、押圧状態が解除されるとＯＦＦとなる。1つの態様では、開放出力開始後に扉開検知スイッチがＯＮ→ＯＦＦに変化した場合、３秒間閉鎖出力を行なう。例えば、開放出力開始後に人手による扉体５の開放が行われたような場合には、押し出し部７と扉体５が離れて、押圧状態が解除されて、扉開検知スイッチがＯＮ→ＯＦＦに変化するので、３秒間の閉鎖出力が行われる。
【００２７】
開口部閉鎖状態において、既にデッドボルト５６が解錠状態にある場合には、1つの態様では、デッドボルト５６を施錠状態としてから解錠することでストライク動作検知スイッチをＯＮとする。あるいは、手動操作用の押しボタンスイッチを別途設け、押しボタンスイッチによって作動信号を制御部に送信するようにしてもよい。
【００２８】
また、電気ラッチを用いずに、ハンドル５４の操作でラッチ５５を没入させて、ラッチを非係止状態とするものでは、ストライク動作検知スイッチがＯＮとなり、かつ、ラッチ動作検知スイッチがＯＮとなった場合に、制御部から作動機構８に作動信号が送信され、扉開放アシスト装置が作動する。
【００２９】
扉開放アシスト装置の全閉状態からの開動作について説明する。扉開放アシスト装置が全閉状態にある場合には、扉開検知ＳＷはＯＦＦ、全閉ＳＷはＯＮ、ソレノイドはＯＦＦの状態である。扉開放アシスト装置の作動機構のモータ８１は停止している。電動ラッチは係止状態にある。デットボルト５６は施錠状態にあり、ストライク動作検知スイッチ（スイッチストライク）はＯＦＦである。デットボルト５６が解錠状態となると、ストライク動作検知スイッチがＯＮとなり、電動ラッチがＯＮ、ソレノイドがＯＮとなる。ストライク動作検知スイッチ及び電動ラッチが共にＯＮとなると、開出力（開タイマーＯＮ：３秒）が行われる。開タイマーが作動してから３秒経過後、または、全開スイッチがＯＮとなると、開出力がＯＦＦとなり、モータ８１が停止して、全開状態となる。また、開タイマーＯＮとなって３秒経過後（全開状態）、開放維持タイマーが３秒間ＯＮとなる。開動作中に、扉開検知ＳＷがＯＮ→ＯＦＦとなると閉動作へ移行する。開動作中に停電になった場合は保持ソレノイドがＯＦＦ（非通電状態）となる。
【００３０】
扉開放アシスト装置の全開状態からの閉動作について説明する。閉鎖動作の閉出力を開始する条件は、「開放維持タイマーＯＮ3秒経過後」、「扉開検知ＳＷがＯＮ→ＯＦＦ」のいずれかである。いずれかの条件を満たすと、制御部からの閉出力がＯＮとなり、閉出力（閉タイマーＯＮ：３秒）が行われる。閉タイマーが作動してから３秒経過後、または、全閉スイッチがＯＮとなると、閉出力がＯＦＦとなり、モータ８１が停止して、全閉状態となる。
【００３１】
作動中に停電が発生した場合には、扉開放アシスト装置の保持ソレノイドが非通電状態となって、保持ソレノイドによって移動が規制されていた要素が可動となるので、ドアクローザの閉鎖力で押し出し部７が可動して扉体５が閉鎖する。
【００３２】
扉開放アシスト装置の構成の一実施形態について図５乃至図８に基づいて詳細に説明する。尚、図５乃至図８は扉開放アシスト装置の構成を説明するための図であって、扉装置の構成は図１、図２のものと一致しない部分があることに留意されたい。押し出し部７は、端部同士が回動自在に連結されている第１アーム７０と第２アーム７１とからなり、第１アーム７０と第２アーム７１の連結部に当接部７２が設けてある。１つの好ましい態様では、当接部７２は第１アームと第２アームの連結部に設けた回転ローラである。
【００３３】
作動機構８は、開口部閉鎖時の扉体５の室内側面部５０に沿って扉体５の幅方向に延出する送りねじ軸８０と、送りねじ軸８０を回転させるモータ８１と、送りねじ軸８０と平行して延出するガイド軸８２と、送りねじ軸８０の回転に連動して送りねじ軸８０上を移動する第１ガイドブロック８３と、ガイド軸８２上に設けられた第２ガイドブロック８４と、からなる。扉開放アシスト装置の作動時には、第１ガイドブロック８３は可動ブロックであり、第２ガイドブロック８４は固定ブロックである。
【００３４】
第１アーム７０の回動端部７００は、第１ガイドブロック８３に回転自在に連結されており、送りねじ軸８０の長さ方向に沿う第１ガイドブロック８３の往復動に連動して、第１アーム７０の回動端部７００が送りねじ軸８０の長さ方向（開口幅方向）に往復動するようになっている。第１ガイドブロック８３にはガイド軸８２の挿通部が形成されているが、挿通部はガイド軸８２を案内する案内孔でも、あるいは、単にガイド軸８２を挿通させる空間でもよい。
【００３５】
第２アーム７１の回動端部７１０は、第２ガイドブロック８４に回転自在に連結されている。モータ８１への電力供給は商用電源から行なわれる。通電時（商用電源有効時）には、第２ガイドブロック８４の移動が規制されており、第２アーム７１の回動端部７１０は、ガイド軸８２の長さ方向の移動が規制された固定端となっている。
【００３６】
より具体的には、第２ガイドブロック８４は、移動規制手段９によって開口幅方向の移動が規制されており、移動規制手段９は通電時に第２ガイドブロック８４の移動を規制し、停電時に第２ガイドブロック８４の移動規制を解除して第２ガイドブロック８４の移動を許容する。１つの態様では、移動規制手段９は、第２ガイドブロック８４に係止して第２ガイドブロック８４の移動を規制する係止手段９０と、係止手段９０の係止状態を解除するソレノイド９１と、を備えている。移動規制手段９の構成についてさらに具体的に説明する。
【００３７】
図８の態様では、係止手段９０は回動片であり、第２ガイドブロック８４に係止する方向に付勢されている。ソレノイド９１の突出ピン９１０は通電時にはソレノイド９１の引っ張りによって退避しており、係止手段９０が第２ガイドブロック８４に係止して移動が規制されている。停電時には、ソレノイド９１の引っ張りが無くなり、付勢手段によって突出ピン９１０が突出して係止手段９０を回動させて係止状態を解除し、ガイド軸８２に沿った第２ガイドブロック８４の移動を許容する。
【００３８】
図６上図は、開口部閉鎖状態を示しており、第１アーム７０と第２アーム７１は、僅かに突出した「く」字状の待機姿勢（収納姿勢）で、当接部７２が扉体５の室内側面部５０（被当接部）に接触している。この状態からモータ８１が第１方向に回転すると、送りねじ軸８０が第１方向に回転して、第１ガイドブロック８３が送りねじ軸８０に沿って戸先側に移動し、第１アーム７０の回動端部７００が戸先側に移動して、第１アーム７０の回動端部７００と第２アーム７１の回動端部７１０の間の間隔が狭まって当接部７２が突出する。
【００３９】
図６下図から明らかなように、押し出し部７によって、扉体５の戸先側端面５２の室内側の角部Ｃが、戸先側縦枠３の室外側見込面３００と室外側見付面３０１との角部（見付面の室外側角部）から少なくとも僅かに（例えば、少なくとも２〜３ｃｍ）室外側に離隔する位置まで押し出される。こうすることで、扉体５の戸先側端面５２の室内側角部Ｃと戸先側縦枠３の室外側角部との間に室内外を連通する隙間が形成される。
【００４０】
扉開放アシスト装置が作動して扉体５を押し出した後は、モータ８１が第１方向とは逆の第２方向に回転するように制御されており、送りねじ軸８０が第２方向に回転して、第１ガイドブロック８３が送りねじ軸８０に沿って戸尻側に向かって移動し、第１アーム７０の回動端部７００が戸尻側に移動して、第１アーム７０の回動端部７００と第２アーム７１の回動端部７１０の間の間隔が拡がって当接部７２が引っ込んで元の待機姿勢に復帰する。
【００４１】
扉開放アシスト装置が作動して扉体５を押し出す時に停電となった場合には、図７に示すように、移動規制手段９が解除されることで第２ガイドブロック８４の移動が自由となり、ドアクローザ６の閉鎖力によって当接部７２が押し込まれて元の待機姿勢に復帰する。
【００４２】
通常時の扉開放アシスト装置の動作について説明する。制御部は、デッドボルトが解錠状態となったと判断すると、ソレノイド９１が通電され、係止手段９０が第２ガイドブロック８４に係止して移動を規制する。第２ガイドブロック８４の移動が規制された状態で、制御部は、デッドボルトが解錠状態となり、かつ、ラッチが非係止状態となったと判断すると、作動機構のモータに作動信号を送信して、第２ガイドブロック８４の移動が規制された状態で、モータ８１が第１方向に回転駆動する。モータ８１の回転駆動に連動して、モータ８１に連結された直動機構（送りねじ軸８０を用いた送りねじ機構）によって第１ガイドブロック８３が戸先側に引き寄せられ、第１ガイドブロック８３に連結された第１アーム７０の回動端部７００が第２アーム７１の回動端部７１０側に移動していく。これによって、第１アームと第２アームが屈曲して突出姿勢となり、被当接部に当接する当接部７２の突出時の押し出しで扉体５の戸先側を室外側に押し出す。
【００４３】
扉開放アシスト装置の動作中に停電となった場合について説明する。第２ガイドブロック８４の移動規制手段９であるソレノイド９１への電源が絶たれると、移動規制手段９が解除され、第２ガイドブロック８４のガイド軸８２上の移動が許容される。第２アーム７１の回動端部７１０が連結された第２ガイドブロック８４の移動が自由となることで、ドアクローザ６の閉鎖力で突出姿勢にある押し出し部７を押し込みながら扉体５が自動的に閉鎖する。このように、作動機構の電源が商用電源である場合において、押し出し部が突出した時に停電が生じたとしても、停電時には固定端の移動規制を解除して固定端の移動が自由となるので、ドアクローザ等の閉鎖力を用いて突出姿勢にある押し出し部を押し込みながら扉体を自動的に閉鎖することができる。したがって、扉体が開放したままとなって防犯上・消防上の問題が生じることがない。商用電源が復帰した後は、第１ガイドブロック８３、第２ガイドブロック８４を元の初期位置まで移動させて、待機姿勢とする。通電時に常にソレノイド９１を作動させる場合には、ソレノイド９１を作動させて係止手段９０を第２ガイドブロック８４に係止させる。
【００４４】
図示の態様では、扉開放アシスト装置において、前記押し出し部は、第１回動端と第２回動端を備えた第１アームと、第１回動端と第２回動端を備えた第２アームと、を有し、第１アームと第２アームの第１回動端同士が互いに回動自在に連結され、第１回動端同士の連結部に前記当接部が設けられ、第１アームと第２アームの２つの第２回動端の一方の第２回動端は開口幅方向に移動可能な可動端であり、他方の第２回動端は開口幅方向の移動が規制された固定端であり、前記作動機構は、前記可動端を前記固定端へ向かって移動させることで前記当接部を突出させる、ように構成されており、また、前記固定端は、移動規制手段によって開口幅方向の移動が規制されており、前記移動規制手段は通電時に前記固定端の移動を規制し、停電時に前記固定端の移動規制を解除して前記固定端の移動を許容するように構成されているが、押し出し部及び作動機構の構成は図示の態様に限定されないことは当業者に理解される。
【符号の説明】
【００４５】
３  戸先側縦枠
３０  ラッチ用ストライク
３１  デットボルト用ストライク
３２  デットボルト用ストライク
５  扉体
５５  ラッチ
５６  デッドボルト
６  ドアクローザ
７  押し出し部
８    作動機構
【図１】
0005412354.tif 000002
【図２】
0005412354.tif 000003
【図３】
0005412354.tif 000004
【図４】
0005412354.tif 000005
【図５】
0005412354.tif 000006
【図６】
0005412354.tif 000007
【図７】
0005412354.tif 000008
【図８】
0005412354.tif 000009